(57)【要約】【課題】おろし作業を容易に行え、肌理の細かいおろしが得られるおろし器を提供すること。【解決手段】おろし板１１を、手前側の握り部１１ａと、この握り部１１ａの向こう側に連続する本体部１１ｂとによって構成するとともに、これらの握り部１１ａと本体部１１ｂの両平面視形状を、当該おろし板１１の平面視中心線１５に対して、向う側に向けて滑らかに拡大するようにしたこと。【選択図】図１
2015029529.tif 000002
【特許請求の範囲】
【請求項１】
大根やわさびのような被おろし物が表面にて擦られることになるおろし板と、このおろし板の上面から突出する多数のおろし刃と、これらのおろし刃の直近に形成した多数の落し穴とを有するおろし器であって、
前記おろし板を、手前側の握り部と、この握り部の向こう側に連続する本体部とによって構成するとともに、これらの握り部と本体部の両平面視形状を、当該おろし板の平面視中心線に対して、向う側に向けて滑らかに拡大するようにしたことを特徴とするおろし器。
【請求項２】
前記おろし板の握り部表面を上方に凸となるように大きく湾曲させるとともに、前記おろし板の本体部表面を、前記握り部の湾曲に対して滑らかに連続させながら、向う側部分の端部でも上方に凸となるように湾曲させて、全ての湾曲部分表面を滑らかにかつ漸次緩くなるように連続させたことを特徴とする請求項１に記載のおろし器。
【請求項３】
前記各落し穴を長穴とするとともに、前記各落し穴の一部の端部が前記平面視中心線の反対側に延びるようにしたことを特徴とする請求項１または請求項２に記載のおろし器。
【請求項４】
長穴である前記各おとし穴の中心線と、前記平面視中心線とのなす各角θについて、手前側から向こう側に掛けて、または向こう側から手前側に掛けて、順次大きくなるようにして、各おとし穴の長辺に沿って形成した各おろし刃の方向が、手前側から向こう側に掛けて順次変化するようにしたことを特徴とする請求項３に記載のおろし器。
【請求項５】
前記おろし板の両側に、下端に滑り止め部分を備えた支持脚を一体化したことを特徴とする請求項１〜請求項４のいずれかに記載のおろし器。
【請求項６】
前記おろし板の本体部、及び前記支持脚の向う側端部を前記平面視中心線に対して直交するようにしたことを特徴とする請求項５に記載のおろし器。
【請求項７】
前記おろし板、おろし刃、及び支持脚の全てを、合成樹脂を材料として一体性形成したことを特徴とする請求項１〜請求項６のいずれかに記載のおろし器。
【発明の詳細な説明】
【技術分野】
【０００１】
本発明は、大根やわさび等の被おろし物を細かくおろすための「おろし器」に関するものである。
【背景技術】
【０００２】
大根やわさび等をおろすための「おろし器」は、古くから種々なものが提案され、工夫もなされてきているものである。出願人も、例えば特許文献１によって、図１２に示すようなおろし器を提案してきている。
【０００３】
この特許文献１にて提案したおろし器は、「おろし面やおろし刃の構成を工夫することによって、切れ味に優れ、結果的に女性や老人でも軽い操作でおろしを作ることのできるおろし器を簡単な構成によって提供すること」を目的としてなされたもので、例えば、「大根やわさび等の被おろし物が表面にて擦られることになるおろし板と、このおろし板の上面から突出する多数のおろし刃と、これらのおろし刃の直近に形成した多数の落し穴とを有するおろし器であって、前記おろし板の手前側部分を上方に凸となるように大きく湾曲させるとともに、前記おろし板の向こう側部分を略平らとなるようにし、これらの向う側部分と手前側部分とを滑らかに連続させたことを特徴とするおろし器」という構成を有するものである。
【０００４】
これにより、この出願人が特許文献１にて提案してきたおろし器は、上記の目的を達成することができたのであるが、その他にも、特許文献２や特許文献３にて、種々な形態のおろし器が提案されてきている。
【先行技術文献】
【特許文献】
【０００５】
【特許文献１】特許第３７２１４３４号掲載公報
【特許文献２】特許第３９４０３９０号掲載公報
【特許文献３】特開平１１−２６７０４６号公報、要約、代表図
【発明の概要】
【発明が解決しようとする課題】
【０００６】
特許文献２で提案されているおろし器は、「おろし金面に対する野菜の押し付け角度変更を行わずとも、極めて効率良く野菜をすりおろすことができるおろし器を提供すること」を目的としてなされたもので、図１３に示すように、例えば、「握持部の先端部におろし金面を突設し、このおろし金面に大根や生姜などの野菜を押し付けて往復移動させることで野菜をすりおろしできるおろし器において、前記おろし金面は、すりおろし往復移動方向の一側端部を略平坦形状の平坦おろし面部に形成し、この平坦おろし面部より他側部を、すりおろし往復移動方向と直交する方向の断面形状が下方へ湾曲突出する形状の湾曲おろし面部に形成すると共に、この湾曲おろし面部は前記平坦おろし面部からおろし金面の他側の端部側へ至る程湾曲度合いが徐々に強くなる湾曲形状に形成して、この湾曲おろし面部の最も下方へ突出する部位がおろし金面の他側の端部側へ向って下降傾斜するように構成したことを特徴とするおろし器」という構成を有するものである。
【０００７】
しかしながら、この特許文献２のおろし器では、「握持部の先端部におろし金面を突設し」たものであって、図１３に示すように、「握持部の先端部」から「おろし金面」がいきなり突設されているものである。この特許文献２の段落００２９の記載からすると、「断面丸形の金属製線材から成る略長方形状の枠部材Ｗの一側を、細長く且つ図示した所定形状に屈曲突出させてこの屈曲突出部を前記握持部１とし」たものであり、この把持部１は、非常に持ちにくいものとなっていると考えられる。
【０００８】
これに対して、特許文献３のおろし器では、図１４に示すように、板状の把持部を採用しているようで、板状であれば手に持ち易いと考えられる。しかしながら、この特許文献３の把持部は、おろし金部分との間に「窪み」を介して連続したものとなっているため、使用時には、この把持部とおろし金部との間の窪みに自然と手が入るものと考えられる。窪みに手が入れば、図１４の図示右側に突出している把持部は手からはみ出すことになるから、おろし作業は困難になるのではないかと考えられる。何より、おろし作業時に窪みに手が入れば、「おろし刃」の一部が手で隠れることになるから、「おろし刃」の一部が無駄なものとなる。
【０００９】
そこで、本発明者等は、使用勝手がよく、肌理の細かいおろしが行えるおろし器を提供するにはどうしたらよいか、について種々検討を重ねてきた結果、この種の、手で持っておろし作業を行うおろし器では、次の点を考慮することが良い結果を生むことが判明したのである。
（１）片方の手で動かされる被おろし物からの力に対して、もう一方の手で容易かつ確実に固定できる形状とすること。
（２）片方の手で動かされる被おろし物の先へ動く角度は、手元から先に行くに従って広がっていくこと。
（３）おろし刃の列は、片方の手で持った被おろし物の動かされる方向に対して傾斜していた方がよいこと。少なくとも、被おろし物の動かされる方向と平行の場合は、おろしが殆ど行えないこと。
（４）おろされたものがおろし板（金）から直ぐに落下してくれると、次のおろしが効果的となること。
（５）片方の手で動かされる被おろし物は、当然におろし板に押え付けられるのであるから、おろし板はこれに耐えるものであること。
（６）片方の手で持った被おろし物は、おろし板に対して動かされるため、おろし板は容器や皿に対して簡単に固定できると、おろし作業が容易となること。
（７）一般的には狭いことの多いキッチンで使用するものであるから、不使用時には、片付けがよいこと。
（８）当然のことながら、洗浄が容易かつ簡単に行えると、衛生的なキッチン用品となること。
【００１０】
本発明者等は、上記の考慮点（１）〜（８）のそれぞれについて、如何にして具体的に実現していくか、について種々検討を重ねてきた結果、本発明を完成したのである。
【００１１】
すなわち、本発明の目的とするところは、上記の考慮点（１）〜（８）のそれぞれを具体的に実現することができて、おろし作業を容易に行え、肌理の細かいおろしが得られるおろし器を提供することにある。
【課題を解決するための手段】
【００１２】
以上の課題を解決するために、まず、請求項１に係る発明の採った手段は、後述する実施形態の説明中で使用する符号を付して説明すると、
「大根やわさびのような被おろし物が表面にて擦られることになるおろし板１１と、このおろし板１１の上面から突出する多数のおろし刃１３と、これらのおろし刃１３の直近に形成した多数の落し穴１２とを有するおろし器１０であって、
おろし板１１を、手前側の握り部１１ａと、この握り部１１ａの向こう側に連続する本体部１１ｂとによって構成するとともに、これらの握り部１１ａと本体部１１ｂの両平面視形状を、当該おろし板１１の平面視中心線１５に対して、向う側に向けて滑らかに拡大するようにしたことを特徴とするおろし器１０」
である。
【００１３】
この請求項１に係るおろし器１０では、図１〜図４に示すように、おろし板１１を、手前側の握り部１１ａと、この握り部１１ａの向こう側に連続する本体部１１ｂとによって構成してある。また、おろし板１１の上面から突出する多数のおろし刃１３と、これらのおろし刃１３の直近に形成した多数の落し穴１２とは、主として本体部１１ｂに形成し、握り部１１ａには形成しないようにしてある。
【００１４】
さらに、この請求項１に係るおろし器１０では、図１〜図４に示すように、握り部１１ａと本体部１１ｂの両平面視形状を、当該おろし板１１の平面視中心線１５に対して、向う側に向けて滑らかに拡大するようにして、当該おろし器１０の平面視形状が閉じた「中啓扇」や「三味線の撥」のようにしたものである。「中啓扇」とは、僧侶が儀式の際に手で持って使用する扇であり、閉じている場合に、「三味線の撥」のように先に行くに従って滑らかに拡大したものである。
【００１５】
おろし器１０が、その平面視形状において、「中啓扇」や「三味線の撥」のようになっていれば、当該おろし器１０を手で持つには、一番細くなっている握り部１１ａを掴めばよいことは、一目瞭然である。勿論、この握り部１１ａは、片手で握ることができるから、当該おろし器１０全体の取り扱いをし易くしている。
【００１６】
そして、片手で握ることのできる握り部１１ａに対して、本体部１１ｂの側面が、閉じた「中啓扇」や「三味線の撥」の側面のように緩やかに連続しているから、握り部１１ａを握った手の指、例えば、人差し指や親指をこの本体部１１ｂの側面に自然に沿わせることができる。このことは、当該おろし器１０を皿等に固定しておろし作業を行う場合の、おろし器１０の安定化を確実にすることができることを意味しており、人の手の自然な沿わせ方で当該おろし器１０を使用できることをも意味している。
【００１７】
さらに、このおろし器１０では、握り部１１ａと本体部１１ｂの両平面視形状を、当該おろし板１１の平面視中心線１５に対して、向う側に向けて滑らかに拡大するようにしたから、当然、本体部１１ｂの平面視においても向う側に向けて拡大している。
【００１８】
ところで、手で持った野菜等の被おろし物を向こう側に動かす場合、その方向は、常に平面視中心線１５上を移動させることは困難で、この平面視中心線１５に対して先に行くに従ってブレる、つまり広がるのが自然である。一方で、手で持った野菜等の被おろし物を手前側に動かす場合、その被おろし物を持った手を、握り部１１ａを握った手に近付けるのが自然である。
【００１９】
以上の結果、この被おろし物の先に行くに従ってブレることに応じて、本体部１１ｂについても先に行くに従って広がるようにしてあるから、この被おろし物をおろし板１１上を向こう側に押す場合には、本体部１１ｂの広がりに応じて自然に移動させることができる。一方で、手で持った野菜等の被おろし物を手前側に動かす場合、窄まっている握り部１１ａ上を戻すことになるが、握り部１１ａを握っている他方の手に自然と近づけることになる。結果的に、当該おろし器１０によるおろし作業は、手の自然な動きのままで行えることになって、極めて容易に行えるのである。
【００２０】
また、被おろし物が自然に動かされる本体部１１ｂには、おろしを行うおとし穴１２やおろし刃１３が形成してあるのであるから、肌理の細かいおろしが得られる。そして、これらのおとし穴１２やおろし刃１３に対して、手の自然な動きによっておろし作業がなされることは、変な状態でおろし作業が中断することがないことを意味しており、肌理の細かい「おろし物」が得られることをも意味している。
【００２１】
なお、おろし板１１の握り部１１ａについて、図１１に示すように、支持脚１４の一部に持ち上げ部１４ｂを形成しておくことにより、当該おろし器１０を平面的な部分に置いたとき、この部分から浮き上がるようにすると、当該握り部１１ａの下側に指を簡単に入れることができるようになる。このようにすると、当該握り部１１ａを握る作業が自然状態で行えることになる。
【００２２】
従って、この請求項１に係るおろし器１０は、
（１）片方の手で動かされる被おろし物からの力に対して、もう一方の手で容易かつ確実に固定できる形状となっている
（２）片方の手で動かされる被おろし物の先へ動く角度は、手元から先に行くに従って広がっていくという自然な状態を利用したものとなっている
のであり、おろし作業が容易に行え、肌理の細かいおろしが得られるものとなっているのである。
【００２３】
また、上記課題を解決するために、請求項２に係る発明の採った手段は、上記請求項１に記載のおろし器１０について、
「おろし板１１の握り部１１ａ表面を上方に凸となるように大きく湾曲させるとともに、おろし板１１の本体部１１ｂ表面を、握り部１１ａの湾曲に対して滑らかに連続させながら、向う側部分の端部１１ｃでも上方に凸となるように湾曲させて、全ての湾曲部分表面を滑らかにかつ漸次緩くなるように連続させたこと」
である。
【００２４】
この請求項２に係るおろし器１０は、図５及び図６に示すように、おろし板１１の握り部１１ａ及び本体部１１ｂの上面を、上方に凸となるように湾曲させたものであり、しかもその湾曲は、握り部１１ａから握り部１１ａにおいて滑らかにかつ漸次緩くなるように連続させたものである。
【００２５】
このことをさらに詳細に述べると、おろし板１１を裏面側から見た図６に示すように、先ず、表面を上方に凸となるように大きく湾曲させ握り部１１ａにおいては、その下面において、湾曲状態が小円弧１６ａで示される。ただし、この握り部１１ａ裏面の小円弧１６ａは、図６の手前側に向けて漸次大きくなる。一方、本体部１１ｂの湾曲状態は、図６においては大円弧１６ｂで示される。この大円弧１６ｂも、小円弧１６ａに一番近いものから、図６の手前側に向けて漸次大きくなる。湾曲が漸次大きくなるとは、図６に示すように、凸状態が漸次緩くなることを示し、平面状態に近くなることを意味する。
【００２６】
つまり、表面を上方に凸となるように大きく湾曲させた握り部１１ａにおいては、これを手で握ったとき、掌内に自然にフィットするのである。握ったときの掌内は、図６に示した小円弧１６ａのような円弧を描くからである。
【００２７】
そして、上記請求項１のおろし器１０におけるように、片手で握ることのできる握り部１１ａに対して、本体部１１ｂの側面が緩やかに連続しているから、握り部１１ａを握った手の指、例えば、人差し指や親指をこの本体部１１ｂの側面に自然に沿わせることができる。このことは、当該おろし器１０を皿等に固定しておろし作業を行う場合の、おろし器１０の安定化を確実にすることができることを意味しており、人の手の自然な沿わせ方で当該おろし器１０を使用できることをも意味している。
【００２８】
おろし板１１の概略形状が以上のようにしてあることによって、例えば被おろし物として、大根やニンジンのような根菜類をおろす場合に、これを本体部１１ｂの握り部１１ａに近い部分上に押しつけて動かすのであるが、この本体部１１ｂ上の一番突出した部分、つまり図４中の平面視中心線１５近傍にあるおろし刃１３によって当該被おろし物の切口面の略中央がおろされることになる。換言すれば、このおろし作業の最初では、本体部１１ｂ上のおろし刃１３によって、被おろし物の切口の全面がおろされるのではなく、切口面の略中央がおろされることになって、中央部分をおろす力だけで十分となる。
【００２９】
被おろし物をさらに本体部１１ｂの向う側部分に向けて押していくと、今度は被おろし物の左右両側がおろし刃１３に接することになる。何故なら、本体部１１ｂの向う側部分の湾曲は漸次緩くなっているから、本体部１１ｂの左右両側部分は平面視中心線１５に対して持ち上がってくる状態となるからである。このため、それまでおろされずに言わばとがった状態にあった被おろし物の左右両側部分がおろされ、被おろし物の略中央部分は左右側と同一面となるまでおろされないのである。この場合も、被おろし物の切口面全体をおろすのではないから、それ程力はいらないのである。
【００３０】
最後に、被おろし物を本体部１１ｂの先端部まで押すと、ここでは非常に緩い湾曲面となっているから被おろし物の切口面の略全面がおろされることになる。一般に、例えば大根を手に持ってこれを動かそうとする時、手前側よりも向こう側へ行ったときに、体重を掛け易くなるものである。従って、この本体部１１ｂの先端部でも腕にそれ程力を入れなくてもおろせることになるのである。
【００３１】
従って、この請求項２に係るおろし器１０は、上記請求項１のそれと同様な機能を発揮する他、単におろし板１１を上方に凸となるように湾曲させただけで、おろし作業をそれ程力を入れなくても容易に行えるものとなっているのである。
【００３２】
上記課題を解決するために、請求項３に係る発明の採った手段は、上記請求項１または請求項２に記載のおろし器１０について、
「各落し穴１２を長穴とするとともに、各落し穴１２の一部の端部が平面視中心線１５の反対側に延びるようにしたこと」
である。
【００３３】
この請求項３のおろし器１０では、図２〜図４に示すように、まず、各落し穴１２を長穴としたものであるが、これによって、図１に示すような丸穴であるおとし穴１２の場合に比して、おろしたものがおろし板１１下に落下し易くしたものである。また、各落し穴１２を長穴とすることによって、被おろし物がおろし板１１上を移動されるときに、これらのおとし穴１２に引っ掛かりにくくなっていて、おろし作業を安定的に行えるようになっている。
【００３４】
そして、各落し穴１２の一部の端部を平面視中心線１５の反対側に延びるようにしたことによって、図２〜図４に示すように、長穴である各おとし穴１２がおろし板１１上で複雑に交差することになり、これらのおとし穴１２以外の部分も複雑に交差することになる。このため、おろし板１１自体は、多数のおとし穴１２を有するものであっても、おとし穴１２以外の部分が複雑に交差することによって、その剛性が高いものとなっていて、おろし作業時に加えられる力に十分耐えられるものとなっているのである。
【００３５】
なお、長穴である各おとし穴１２を、図３や図４に示したように、平面視中心線１５に対して傾斜させてある場合には、各おとし穴１２の長辺１２ａが平面視中心線１５と平行になることがないから、これらの長辺１２ａの直近に列となっている多数のおろし刃１３が平面視中心線１５と平行になることがない。換言すれば、各おろし刃１３は、被おろし物のおろし面全体に当接し得るものとなり、
（３）おろし刃の列は、片方の手で持った被おろし物の動かされる方向に対して傾斜しているから、被おろし物の動かされる方向と平行になることはなく、おろしが確実に行える
ことになるのである。
【００３６】
従って、この請求項３に係るおろし器１０は、上記請求項１または２のそれと同様な機能を発揮する他、
（４）おろされたものがおろし板（金）から直ぐに落下してくれる
ことになるから、おろされたもののおろし板１１下への落下が促進されていて、しかも、
（５）片方の手で動かされる被おろし物は、当然におろし板に押え付けられるのであるから、おろし板はこれに十分耐えられるものとなっているのである。
【００３７】
上記課題を解決するために、請求項４に係る発明の採った手段は、上記請求項３に記載のおろし器１０について、
「長穴である前記各おとし穴１２の中心線１２ｂと、前記平面視中心線１５とのなす各角θについて、手前側から向こう側に掛けて、または向こう側から手前側に掛けて、順次大きくなるようにして、各おとし穴１２の長辺１２ａに沿って形成した各おろし刃１３の方向が、手前側から向こう側に掛けて順次変化するようにしたこと」
である。
【００３８】
この請求項４に係るおろし器１０では、その各おとし穴１２を長穴にしたことによって、図３及び図４に示すように、その各長辺１２ａは互いに平行になっており、各長辺１２ａの直近になるおろし板１１には複数のおろし刃１３が均等かつ同一方向に向くように形成してある。
【００３９】
ここで、もし、各おとし穴１２の中心線１２ｂと、平面視中心線１５とのなす各角θについて同じであると、どのおろし刃１３を取ってみても、その向かう方向は同じになる。この状態で平面視中心線１５に沿って大根をおろしたとすると、この大根がおろし板１１表面の手前側にあっても向こう側にあっても、同じ角度のおろし刃１３によっておろされることになる。極端な場合、大根のおろし面におろし刃１３の通過跡である「スジ」が発生し、大根の繊維が同じところで同じ方向に切断され、所謂「滑らか」なおろしにはならないことが多くなる。
【００４０】
これに対して、この請求項４に係るおろし器１０のように、各おとし穴１２の長辺１２ａに沿って形成した各おろし刃１３の方向が、手前側から向こう側に掛けて順次変化するようにしてあれば、大根を構成している繊維は、非常に複雑に切断されることになり、大根おろしは非常に肌理の細かいものとなる。
【００４１】
従って、この請求項４に係るおろし器１０は、上記請求項３に係るそれと同様な機能を発揮する他、肌理の細かさをより一層効果的に発生させ得るのである。つまり、この請求項４のおろし器１０では、
（３）おろし刃１３の列は、片方の手で持った被おろし物の動かされる方向及び位置に対して順に傾斜していて、被おろし物の動かされる方向と平行の場合は、殆どない。
というものになっているのである。
【００４２】
さらに、上記課題を解決するために、請求項５に係る発明の採った手段は、上記請求項１〜請求項４のいずれかに記載のおろし器１０について、
「おろし板１１の両側に、下端に滑り止め部分１４ａを備えた支持脚１４を一体化したこと」
である。
【００４３】
この請求項５に係るおろし器１０は、図５〜図１１に示すように、おろし板１１の両側に、下端に滑り止め部分１４ａを備えた支持脚１４が一体化してあるのであるが、この支持脚１４によって、当該おろし器１０を皿等の上に置いたとき、特に図６に示すように、おろし板１１下方におろしたものの落下空間が形成される。この落下空間は、請求項２のおろし器１０におけるように、おろし板１１の本体部１１ｂ表面を、握り部１１ａの湾曲に対して滑らかに連続させながら、向う側部分の端部１１ｃでも上方に凸となるように湾曲させたとき、より大きなものとなる。
【００４４】
また、おろし板１１の握り部１１ａについて、図１１に示すように、支持脚１４の一部に持ち上げ部１４ｂを形成して、当該握り部１１ａが机上から浮くようにしておくとよい。つまり、当該おろし器１０を平面的な部分に置いたとき、図１１の（ｂ）に示すように、握り部１１ａがこの部分から浮き上がるようにすると、当該握り部１１ａの下側に指を簡単に入れることができるようになる。このようにすると、当該握り部１１ａを握る作業が自然状態で行えることになる。
【００４５】
そして、この支持脚１４が、下端に滑り止め部分１４ａを備えたことによって、当該おろし器１０を皿や容器においたとき、この滑り止め部分１４ａが滑り止めを果たして当該おろし器１０全体を固定するから、おろし板１１に力を入れるおろし作業時に、当該おろし器１０がズレることはない。
【００４６】
従って、この請求項５に係るおろし器１０は、上記請求項１〜請求項４のいずれかに記載のそれと同様な機能を発揮する他、
（６）片方の手で持った被おろし物は、おろし板に対して動かされるため、おろし板は容器や皿に対して簡単に固定できるため、おろし作業が容易となる
という機能をも発揮するものとなっているのである。
【００４７】
また、上記課題を解決するために、請求項６に係る発明の採った手段は、上記請求項５に記載のおろし器１０について、
「おろし板１１の本体部１１ｂ、及び支持脚１４の向う側端部１１ｃを平面視中心線１５に対して直交するようにしたこと」
である。
【００４８】
つまり、この請求項６のおろし器１０では、図４、図６、図８、図９、及び図１１の（ａ）に示したように、おろし板１１の本体部１１ｂ、及び支持脚１４の向う側端部１１ｃを平面視中心線１５に対して直交させたものであるから、特に、図６、図８、及び図９から理解できるように、当該おろし器１０を向う側端部１１ｃを下にして立てることができるのである。
【００４９】
この向う側端部１１ｃは、当該おろし器１０の中でも最も幅の広い部分であり、この向う側端部１１ｃを下にしてキッチンの隅に立てれば、他の部分が細い状態のままキッチンの隅に配置されることになり、当該おろし器１０が不使用時にキッチン上で邪魔になることはない。
【００５０】
従って、この請求項６に係るおろし器１０は、
（７）狭いキッチンでの不使用時には、片付けがよい
ことになるのである。
【００５１】
上記課題を解決するために、請求項７に係る発明の採った手段は、上記請求項１〜請求項６のいずれかに記載のおろし器１０について、
「おろし板１１、おろし刃１３、及び支持脚１４の全てを合成樹脂を材料として一体性形成したこと」
である。
【００５２】
この請求項７のおろし器１０は、その全てを合成樹脂で一体成形したのであるから、どこかが錆びることがないことは勿論、水を含むこともないから全体の洗浄が非常に簡単に行えるものとなっている。
【００５３】
従って、この請求項７に係るおろし器１０は、上記請求項１〜請求項６のいずれかに記載のそれと同様な機能を発揮する他、
（８）洗浄が簡単で、常に衛生的なもの
となっているのである。
【発明の効果】
【００５４】
以上、説明した通り、本発明においては、
「大根やわさびのような被おろし物が表面にて擦られることになるおろし板１１と、このおろし板１１の上面から突出する多数のおろし刃１３と、これらのおろし刃１３の直近に形成した多数の落し穴１２とを有するおろし器１０であって、
おろし板１１を、手前側の握り部１１ａと、この握り部１１ａの向こう側に連続する本体部１１ｂとによって構成するとともに、これらの握り部１１ａと本体部１１ｂの両平面視形状を、当該おろし板１１の平面視中心線１５に対して、向う側に向けて滑らかに拡大するようにしたこと」
にその構成上の主たる特徴があり、これにより、おろし作業を容易に行え、肌理の細かいおろしが得られるおろし器１０を提供することができるのである。
【図面の簡単な説明】
【００５５】
【図１】本発明の第一実施例に係るおろし器１０の斜視図である。
【図２】同第二実施例に係るおろし器１０の平面図である。
【図３】同第三実施例に係るおろし器１０の平面図である。
【図４】同第四実施例に係るおろし器１０の平面図である。
【図５】図４に示したおろし器１０の正面図である。
【図６】同おろし器１０の背面図である。
【図７】同おろし器１０の底面図である。
【図８】同おろし器１０の右側面図である。
【図９】同おろし器１０の左側面図である。
【図１０】おろし刃１３を拡大して示すもので、（ａ）は図４中の１−１線に沿って見た部分拡大平面図、（ｂ）は図１０の（ａ）中の２−２線に沿って見た断面図、（ｃ）は図１０の（ａ）中の３−３線に沿って見た断面図である。
【図１１】本発明の第五実施例に係るおろし器１０を示すもので、（ａ）は背面図、（ｂ）は正面図である。
【図１２】特許文献１に示された技術を示す斜視図である。
【図１３】特許文献２に示された技術を示す斜視図である。
【図１４】特許文献３に示された技術を示す平面図である。
【発明を実施するための形態】
【００５６】
次に、上記のように構成した各請求項に係る発明を、図面に示した実施の形態であるおろし器１０について説明するが、図面には、合計で５つの実施例が示してある。
【００５７】
（第一実施例）
図１には、本発明の第一実施例に係るおろし器１０の斜視図が示してある。このおろし器１０では、おろし板１１は、手前側の握り部１１ａと、この握り部１１ａの向こう側に連続する本体部１１ｂとによって構成してあり、これらの握り部１１ａと本体部１１ｂの両側面は、当該おろし板１１の平面視中心線１５に対して、向う側に向けて滑らかに拡大するようにしてある。
【００５８】
また、この第一実施例に係るおろし器１０では、おとし穴１２は丸穴としてあり、このおとし穴１２の周囲に、図１０に例示するような多数のおろし刃１３が形成してある。これらの丸穴であるおとし穴１２については、各落し穴１２の一部の端部が平面視中心線１５の反対側に延びるように、つまり平面視中心線１５に対してランダムに配置して、おろし板１１の剛性が高くなるようにしてある。
【００５９】
この第一実施例に係るおろし器１０は、その全体を、合成樹脂を材料として一体成形したものであり、このことは、以下の実施例に係るおろし器１０についても同様である。勿論、後述する第四実施例のおろし器１０のように、おろし板１１の両側に、下端に滑り止め部分１４ａを備えた支持脚１４を一体化し、この滑り止め部分１４ａについてのみエラストマーのような、他とは異なる材料を使用することも可能である。
【００６０】
なお、この第一実施例に限らず、図１〜図１０に示したように、おろし板１１の握り部１１ａの端部（通常上端部となる）に掛け穴１１ｄが形成してある。この掛け穴１１ｄは、これを利用して壁のフック等に当該おろし器１０を吊下しておくために使用されるものである。
【００６１】
（第二実施例）
図２には、本発明の第二実施例に係るおろし器１０が示してあるが、このおろし器１０では、おとし穴１２を長穴としたことが上記第一実施例と異なるものであり、この長穴の中心線１２ｂを平面視中心線１５と直交するようにしたものである。なお、この第二実施例に係るおろし器１０においても、その各落し穴１２の一部の端部が平面視中心線１５の反対側に延びるようにしたものである。
【００６２】
（第三実施例）
図３には、本発明の第三実施例に係るおろし器１０が示してあるが、このおろし器１０では、おとし穴１２を長穴としたことは上記第二実施例と同じであり、この長穴の中心線１２ｂを平面視中心線１５と斜めに交差するようにしたものである。ただし、この斜め方向は、次に述べる第四実施例の場合とは逆となっている。なお、この第三実施例に係るおろし器１０においても、その各落し穴１２の一部の端部が平面視中心線１５の反対側に延びるようにしたものである。
【００６３】
（第四実施例）
図４〜図１０には、本発明の第四実施例に係るおろし器１０が示してある。このおろし器１０では、まず、おろし板１１を、手前側の握り部１１ａと、この握り部１１ａの向こう側に連続する本体部１１ｂとによって構成するとともに、これらの握り部１１ａと本体部１１ｂの両平面視形状を、当該おろし板１１の平面視中心線１５に対して、向う側に向けて滑らかに拡大するようにしたものであり、上記第一〜第三実施例の基本構成を踏襲している。
【００６４】
また、この第四実施例に係るおろし器１０では、例えば図６に示したように、おろし板１１の握り部１１ａ表面を上方に凸となるように大きく湾曲させるとともに、おろし板１１の本体部１１ｂ表面を、握り部１１ａの湾曲に対して滑らかに連続させながら、向う側部分の端部１１ｃでも上方に凸となるように湾曲させたものである。これにより、当該おろし器１０のおろし板１１において、その握り部１１ａ及び本体部１１ｂの平面視では、図４及び図５に示したように、全ての湾曲部分表面が滑らかで、かつおろし板１１の端部１１ｃに向って漸次緩くなりながら連続しているのである。
【００６５】
このことをさらに詳細に述べると、おろし板１１を裏面側から見た図６に示したように、先ず、表面を上方に凸となるように大きく湾曲させ握り部１１ａにおいては、その下面において、湾曲状態が小円弧１６ａで示される。ただし、この握り部１１ａ裏面の小円弧１６ａは、図６の手前側に向けて漸次大きくなる。一方、本体部１１ｂの湾曲状態は、図６においては大円弧１６ｂで示される。この大円弧１６ｂも、小円弧１６ａに一番近いものから、図６の手前側に向けて漸次大きくなる。湾曲が漸次大きくなるとは、図６に示すように、凸状態が漸次緩くなることを示し、平面状態に近くなることを意味する。
【００６６】
つまり、表面を上方に凸となるように大きく湾曲させた握り部１１ａにおいては、これを手で握ったとき、掌内に自然にフィットすることになるのである。握ったときの掌内は、図６に示した小円弧１６ａのような円弧を描くからである。
【００６７】
そして、このおろし器１０においては、片手で握ることのできる握り部１１ａに対して、本体部１１ｂの側面が緩やかに連続しているから、握り部１１ａを握った手の指、例えば、人差し指や親指をこの本体部１１ｂの側面に自然に沿わせることができる。このことは、当該おろし器１０を皿等に固定しておろし作業を行う場合の、おろし器１０の安定化を確実にすることができることを意味しており、人の手の自然な沿わせ方で当該おろし器１０を使用できることをも意味している。
【００６８】
また、この第四実施例に係るおろし器１０では、特に図４に示したように、各落し穴１２を長穴とするとともに、各落し穴１２の一部の端部が平面視中心線１５の反対側に延びるようにしてあり、各おとし穴１２の長辺１２ａに、多数のおろし刃１３を形成したものである。これらのおろし刃１３は、各おとし穴１２の直近に形成したもので、各おろし刃１３でおろされたものが直ちにおとし穴１２内に落下し得るようにしてある。さらに、各落し穴１２の一部の端部が平面視中心線１５の反対側に延びるようにしたことによって、各おとし穴１２が長穴であっても、おろし板１１の剛性を高くすることができるし、当該おろし器１０をおろし作業時の力に十分耐えられるものとしているのである。
【００６９】
さらに、この第四実施例に係るおろし器１０では、各おとし穴１２の中心線１２ｂは、平面視中心線１５に対して鋭角θで交差するようにしてあり、第三実施例における鈍角θで交差するのとは逆にしてある。各おとし穴１２の中心線１２ｂについて、平面視中心線１５に対して鋭角θで交差するようにしたのは、そのようにしておくと、おろし作業時において、その各長辺１２ａに近接して設けた各おろし刃１３が平面視中心線１５に近い部分から外側に向って作用することになり、おろしを円滑に行えるようにするからである。
【００７０】
また、この第四実施例に係るおろし器１０では、長穴である各おとし穴１２の中心線１２ｂと、平面視中心線１５とのなす各角θについて、手前側から向こう側に掛けて順次大きくなるようにしてある。これにより、各おとし穴１２の長辺１２ａに沿って形成した各おろし刃１３の方向が、手前側のおとし穴１２から向こう側のおとし穴１２に掛けて順次変化することになる。
【００７１】
これにより、被おろし物である大根を構成している繊維は、おろし板１１の手前側から向こう側に至る間あるいはこれと逆の間に、非常に複雑に切断されることになり、大根おろしは非常に肌理の細かいものとなるのである。勿論、長穴である各おとし穴１２の中心線１２ｂと、平面視中心線１５とのなす各角θについて、向こう側から手前側に掛けて順次大きくなるようにしても、同様な効果が得られる。
【００７２】
そして、この第四実施例に係るおろし器１０では、図５から図１０に示したように、おろし板１１の両側に、下端に滑り止め部分１４ａを備えた支持脚１４が一体化してある。この支持脚１４は、当該おろし器１０を皿等の上に置いたとき、特に図６に示したように、おろし板１１下方におろしたものの落下空間を形成する。この落下空間は、おろし板１１の本体部１１ｂ表面を、握り部１１ａの湾曲に対して滑らかに連続させながら、向う側部分の端部１１ｃでも上方に凸となるように湾曲させたとき、より大きなものとなる。
【００７３】
この支持脚１４が、下端に滑り止め部分１４ａを備えたことによって、当該おろし器１０を皿や容器においたとき、この滑り止め部分１４ａが滑り止めを果たして当該おろし器１０全体を固定することになるから、おろし板１１に力を入れるおろし作業時に、当該おろし器１０がズレることがないことは言うまでもない。
【００７４】
さらにまた、この第四実施例に係るおろし器１０では、図４、図６、図８、図９、及び図１１の（ａ）に示したように、おろし板１１の本体部１１ｂ、及び支持脚１４の向う側端部１１ｃを平面視中心線１５に対して直交させたものである。これにより、特に、図６、図８、及び図９に示したように、当該おろし器１０を向う側端部１１ｃを下にして立てることができるのである。
【００７５】
この向う側端部１１ｃは、おろし板１１の握り部１１ａと本体部１１ｂの両平面視形状を、当該おろし板１１の平面視中心線１５に対して、向う側に向けて滑らかに拡大するようにしたから、当該おろし器１０の中でも最も幅の広い部分であり、この向う側端部１１ｃを下にしてキッチンの隅に立てれば、他の部分が細い状態のままキッチンの隅に配置されることになり、当該おろし器１０の不使用時にキッチン上で邪魔になることはない。
【００７６】
そして、上記のおろし器１０については、おろし板１１、おろし刃１３、及び支持脚１４の全てを合成樹脂を材料として一体性形成したものである。
【００７７】
つまり、いずれの実施例に係るおろし器１０も、そのおろし板１１、おろし刃１３、及び支持脚１４の全てを合成樹脂で一体成形したのであるから、長期間使用してもどこかが錆びることがないことは勿論、水を含むこともないから全体の洗浄が非常に簡単に行えるものとなっているのである。
【００７８】
（第五実施例）
図１１には、本発明の第五実施例に係るおろし器１０の正面図及び背面図が示してあるが、このおろし器１０は、そのおろし板１１の握り部１１ａについて、支持脚１４の一部に持ち上げ部１４ｂを形成して、当該握り部１１ａが机上から浮くようにしたものである。つまり、当該おろし器１０を平面的な部分に置いたとき、図１１の（ｂ）に示したように、握り部１１ａがこの部分から浮き上がるから、当該握り部１１ａの下側に指を簡単に入れることができるのである。このように支持脚１４の一部に持ち上げ部１４ｂを形成すると、当該握り部１１ａを握る作業が自然状態で行えることになる。
【符号の説明】
【００７９】
１０    おろし器
１１    おろし板
１１ａ  握り部
１１ｂ  本体部
１１ｃ  端部
１１ｄ  掛け穴
１２    おとし穴
１２ａ  長辺
１２ｂ  中心線
１３    おろし刃
１４    支持脚
１４ａ  滑り止め部分
１４ｂ  持ち上げ部
１５    平面視中心線
１６ａ  小円弧
１６ｂ  大円弧
【図１】
2015029529.tif 000003
【図２】
2015029529.tif 000004
【図３】
2015029529.tif 000005
【図４】
2015029529.tif 000006
【図５】
2015029529.tif 000007
【図６】
2015029529.tif 000008
【図７】
2015029529.tif 000009
【図８】
2015029529.tif 000010
【図９】
2015029529.tif 000011
【図１０】
2015029529.tif 000012
【図１１】
2015029529.tif 000013
【図１２】
2015029529.tif 000014
【図１３】
2015029529.tif 000015
【図１４】
2015029529.tif 000016